(57)【特許請求の範囲】
【請求項１】
フレームと、
前記フレームに並列的に配設され押鍵操作により押離鍵方向に揺動自在な複数の鍵自身、前記各鍵に固定された部材、または前記各鍵に連動して揺動する部材のいずれかである揺動部材と、
前記フレームに対して固定的に配設され、前記各揺動部材と当接することで、該各揺動部材の、揺動往方向における変位終了位置を規制する動作規制部とを有し、
前記動作規制部は、柔軟な薄皮状部材でなり鍵並び方向に沿った空間部が内側に形成される外側部材と、柔軟な薄皮状部材でなり前記外側部材の前記空間部に設けられた内側部材とを有し、前記外側部材及び前記内側部材によって、または前記内側部材自身によって、前記空間部内に複数の部屋が形成され、該複数の各部屋に、多数の微粒子が収容されていることを特徴とする鍵盤装置。
【請求項２】
前記内側部材は、鍵並び方向に沿って山部と谷部とが交互に形成される波形形状に構成され、前記部屋は、当該内側部材と前記外側部材の内壁との間に形成されることを特徴とする請求項１記載の鍵盤装置。
【請求項３】
鍵並び方向に沿った前記揺動部材の配列パターンと、鍵並び方向に沿った前記内側部材の前記山部及び前記谷部が現れる山谷出現パターンとが対応していることを特徴とする請求項２記載の鍵盤装置。
【請求項４】
鍵並び方向に沿った前記揺動部材の配列パターンと、鍵並び方向に沿った前記内側部材の前記山部が現れる山部出現パターンまたは前記谷部が現れる谷部出現パターンとが対応していることを特徴とする請求項２記載の鍵盤装置。
【請求項５】
前記各揺動部材の中心位置が、前記内側部材の前記山部または前記谷部のいずれか一方のみの位置に一致していることを特徴とする請求項４記載の鍵盤装置。
【請求項６】
前記各揺動部材の中心位置を中心とした鍵並び方向の所定幅の領域における前記内側部材の前記山部の容積と前記谷部との容積との比が、同じ音名の鍵に対応する前記所定幅の領域同士で一致していることを特徴とする請求項２記載の鍵盤装置。
【請求項７】
前記各揺動部材の中心位置を中心とした鍵並び方向の所定幅の領域における前記内側部材の前記山部の容積と前記谷部との容積との比が、各黒鍵に対応する前記所定幅の領域同士で一致していることを特徴とする請求項２記載の鍵盤装置。
【請求項８】
前記各揺動部材の中心位置を中心とした鍵並び方向の所定幅の領域における前記内側部材の前記山部の容積と前記谷部との容積との比が、各白鍵に対応する前記所定幅の領域同士で一致していることを特徴とする請求項２記載の鍵盤装置。
【請求項９】
前記内側部材は、ロール状に形成されたロール部が鍵並び方向に沿って複数配設されてなり、少なくとも前記各ロール部の内側に前記部屋が構成されていることを特徴とする請求項１記載の鍵盤装置。
【請求項１０】
鍵並び方向に沿った前記揺動部材の配列パターンと、鍵並び方向に沿った前記内側部材の前記ロール部の配列パターンとが対応していることを特徴とする請求項９記載の鍵盤装置。
【請求項１１】
前記各揺動部材の中心位置が、前記内側部材の前記各ロール部の位置に一致していることを特徴とする請求項１０記載の鍵盤装置。
【請求項１２】
前記内側部材の前記各ロール部は、前記各揺動部材に対応して設けられ、前記各揺動部材の中心位置の、対応するロール部の鍵並び方向に沿った中心位置に対するずれ量が、同じ音名の鍵に対応する揺動部材同士で一致していることを特徴とする請求項９記載の鍵盤装置。
【請求項１３】
前記内側部材の前記各ロール部は、前記各揺動部材に対応して設けられ、前記各揺動部材の中心位置の、対応するロール部の鍵並び方向に沿った中心位置に対するずれ量が、各黒鍵に対応する揺動部材同士で一致していることを特徴とする請求項９記載の鍵盤装置。
【請求項１４】
前記内側部材の前記各ロール部は、前記各揺動部材に対応して設けられ、前記各揺動部材の中心位置の、対応するロール部の鍵並び方向に沿った中心位置に対するずれ量が、各白鍵に対応する揺動部材同士で一致していることを特徴とする請求項９記載の鍵盤装置。
【請求項１５】
前記内側部材は、鍵並び方向に沿って山部と谷部とが交互に形成される波形形状に構成された波形部と、ロール状に形成され鍵並び方向に沿って複数配設されたロール部とから構成され、少なくとも前記各ロール部の内側に前記部屋が構成され、且つ、前記波形部の波の振幅方向と前記複数のロール部の穴の貫通方向とが略平行であることを特徴とする請求項１記載の鍵盤装置。
【請求項１６】
前記内側部材の一部分が、前記外側部材の内壁に対して拘束されていることを特徴とする請求項１〜１５のいずれか１項に記載の鍵盤装置。
【発明の詳細な説明】
【技術分野】
【０００１】
本発明は、鍵やハンマ体等の、押鍵操作により揺動する部材の動作を規制する動作規制部を備えた鍵盤装置に関する。
【背景技術】
【０００２】
従来、鍵自身あるいは鍵に連動して揺動するハンマ体等の揺動部材が押鍵操作により揺動するように構成され、この揺動部材と当接することでその変位終了位置を規制するストッパ等の動作規制部を備えた鍵盤装置が知られている。
【０００３】
例えば、下記特許文献１の鍵盤装置では、鍵に連動して揺動する揺動部材としてのハンマ体を各鍵に対応して設け、対応する鍵に慣性を付与するようにしている。ハンマ体は、その自由端部がストッパと当接することで揺動往行程における変位終了位置が規制され、同時に鍵も押鍵終了位置が規制される。
【０００４】
ところが、揺動部材を停止させるストッパが硬すぎると、揺動部材がストッパで跳ね返りやすく、また、演奏者の指に過度の衝撃が加わり、しかも大きな衝撃音が発生する。一方、ストッパが柔らか過ぎると、しっかりとしたストップ感が得られず、押鍵感触的にも不安定で演奏しにくい。
【０００５】
すなわち、一般に、ストッパは、フェルト等でなり、ハンマ体の自由端部が当接したときに変形してハンマ体の運動エネルギを吸収することで、鍵を通じた指への衝撃を緩和する。ところが、押鍵終了状態を維持している短い時間において、一旦変形したストッパが戻ろうとして反力を発生させる。そして、その反力が、ハンマ体及び鍵を通じて指に伝わり、押鍵終了時における押鍵感触（ストップ感）に悪影響を与え、例えば、鍵がピタっと止まらないで、ブルブルしたような感触となる。
【０００６】
押鍵終了時における押鍵感触を改善したものとして、下記特許文献２の鍵盤装置が知られている。この装置においては、ストッパの後側に並設される形で、上下のクッションに挟まれた質量体を設け、この質量体にもハンマ体が間接的に当接するように構成される。この特許文献２においては、上記質量体を、砂や金属粉を袋状部材で包んで複数鍵幅に亘る長さに形成してもよい旨が記載されている（段落番号［００５８］）。
【特許文献１】特開２００５−３４５９２４号公報
【特許文献２】特開２００３−１９５８５３号公報
【発明の開示】
【発明が解決しようとする課題】
【０００７】
しかしながら、上記特許文献２において、微粒子を袋状部材で包んで構成する質量体の具体例は示されておらず、何らの工夫なしに構成した場合は、長期の使用により、金属粉等の微粒子が袋状部材の内部で移動して状態が変化してしまうと考えられる。例えば、楽器を立てかけて載置した場合や、ハンマ体との当接の繰り返しにより、微粒子の配置状態が初期の状態から徐々に変化し、動作規制機能も初期のものとは異なってきて、期待する効果を奏しなくなるおそれがある。
【０００８】
このことは、動作規制部に対して当接する揺動部材が、ハンマ体である場合だけでなく、鍵自体である場合や、鍵に対して固定された部材であっても同様である。
【０００９】
本発明は上記従来技術の問題を解決するためになされたものであり、その目的は、動作規制部に収容した微粒子の移動範囲を規制して、適切な動作規制機能を常に確保し、押鍵終了時における良好なストップ感を長期に亘って維持することができる鍵盤装置を提供することにある。
【課題を解決するための手段】
【００１０】
上記目的を達成するために本発明の請求項１の鍵盤装置は、フレーム（１０）と、前記フレームに並列的に配設され押鍵操作により押離鍵方向に揺動自在な複数の鍵（１２）自身、前記各鍵に固定された部材、または前記各鍵に連動して揺動する部材（ＨＭ）のいずれかである揺動部材（ＨＭ）と、前記フレームに対して固定的に配設され、前記各揺動部材と当接することで、該各揺動部材の、揺動往方向における変位終了位置を規制する動作規制部（３０、４０、５０）とを有し、前記動作規制部は、柔軟な薄皮状部材でなり鍵並び方向に沿った空間部（Ｓ１）が内側に形成される外側部材（３１、４１）と、柔軟な薄皮状部材でなり前記外側部材の前記空間部に設けられた内側部材（３２、４２）とを有し、前記外側部材及び前記内側部材によって、または前記内側部材自身によって、前記空間部内に複数の部屋（Ｒｍ）が形成され、該複数の各部屋に、多数の微粒子（３３）が収容されていることを特徴とする。
【００１１】
好ましくは、前記内側部材は、鍵並び方向に沿って山部（３２ｍ）と谷部（３２ｖ）とが交互に形成される波形形状に構成され、前記部屋は、当該内側部材と前記外側部材の内壁（３１ａ）との間に形成される（請求項２）。
【００１２】
好ましくは、鍵並び方向に沿った前記揺動部材の配列パターンと、鍵並び方向に沿った前記内側部材の前記山部及び前記谷部が現れる山谷出現パターン（Ｐ１〜Ｐ１２）とが対応している（請求項３）。
【００１３】
好ましくは、鍵並び方向に沿った前記揺動部材の配列パターンと、鍵並び方向に沿った前記内側部材の前記山部が現れる山部出現パターンまたは前記谷部が現れる谷部出現パターンとが対応している（請求項４）。
【００１４】
好ましくは、前記各揺動部材の中心位置（Ｈｃ）が、前記内側部材の前記山部または前記谷部のいずれか一方のみの位置に一致している（請求項５）。
【００１５】
好ましくは、前記各揺動部材の中心位置を中心とした鍵並び方向の所定幅の領域（３４）における前記内側部材の前記山部の容積と前記谷部との容積との比が、同じ音名の鍵に対応する前記所定幅の領域同士で（請求項６）、または、各黒鍵に対応する前記所定幅の領域同士で（請求項７）、または、各白鍵に対応する前記所定幅の領域同士で（請求項８）、一致している。
【００１６】
好ましくは、前記内側部材（４２）は、ロール状に形成されたロール部（４２Ａ）が鍵並び方向に沿って複数配設されてなり、少なくとも前記各ロール部の内側に前記部屋が構成されている（請求項９）。
【００１７】
好ましくは、鍵並び方向に沿った前記揺動部材の配列パターンと、鍵並び方向に沿った前記内側部材の前記ロール部の配列パターンとが対応している（請求項１０）。
【００１８】
好ましくは、前記各揺動部材の中心位置（Ｈｃ）が、前記内側部材の前記各ロール部の位置に一致している（請求項１１）。
【００１９】
好ましくは、前記内側部材の前記各ロール部は、前記各揺動部材に対応して設けられ、前記各揺動部材の中心位置の、対応するロール部の鍵並び方向に沿った中心位置に対するずれ量が、同じ音名の鍵に対応する揺動部材同士で（請求項１２）、または、各黒鍵に対応する揺動部材同士で（請求項１３）、または、各白鍵に対応する揺動部材同士で（請求項１４）、一致している。
【００２０】
好ましくは、前記内側部材は、鍵並び方向に沿って山部と谷部とが交互に形成される波形形状に構成された波形部（３２）と、ロール状に形成され鍵並び方向に沿って複数配設されたロール部（４２Ａ）とから構成され、少なくとも前記各ロール部の内側に前記部屋が構成され、且つ、前記波形部の波の振幅方向（Ｆ１）と前記複数のロール部の穴（４２ａ）の貫通方向（Ｆ１）とが略平行である（請求項１５）。
【００２１】
好ましくは、前記内側部材の一部分（３５、３６）が、前記外側部材の内壁に対して拘束されている（請求項１６）。
【００２２】
なお、上記括弧内の符号は例示である。
【発明の効果】
【００２３】
本発明の請求項１によれば、動作規制部に収容した微粒子の移動範囲を規制して、適切な動作規制機能を常に確保し、押鍵終了時における良好なストップ感を長期に亘って維持することができる。
【００２４】
請求項２によれば、簡単な構造にて、動作規制部に収容した微粒子の移動範囲を規制することができる。
【００２５】
請求項３によれば、内側部材における波の同じ位相部分に各揺動部材が当接するよう構成するのを容易にして、位相差による動作規制機能のばらつきを抑制し、各鍵の押鍵終了時におけるストップ感を均一にすることができる。
【００２６】
請求項４によれば、揺動部材のうち、主に山部に当接するものと主に谷部に当接するものとが混在しないよう構成するのを容易にして揺動部材の動作規制機能の差異を回避し、各鍵の押鍵終了時におけるストップ感を均一にすることができる。
【００２７】
請求項５によれば、山部または谷部のいずれか一方のみに揺動部材が当接するようにして、山部または谷部の一方のみの固有特性を揺動部材に作用させ、固有特性によるばらつきを排除することで、各鍵の押鍵終了時におけるストップ感を均一にすることができる。
【００２８】
請求項６によれば、同じ音名の鍵間で、ストップ感を共通化することができる。
【００２９】
請求項７によれば、黒鍵間で、ストップ感を共通化することができる。
【００３０】
請求項８によれば、白鍵間で、ストップ感を共通化することができる。
【００３１】
請求項９によれば、簡単な構造にて、動作規制部に収容した微粒子の移動範囲を規制することができる。
【００３２】
請求項１０によれば、各揺動部材のロール部に対する相対的な当接位置の違いをなくすよう構成するのを容易にして動作規制機能の差異を回避し、各鍵の押鍵終了時におけるストップ感を均一にすることができる。
【００３３】
請求項１１によれば、各揺動部材間で、ロール部に対する相対的な当接位置を一致させて、当接位置による作用のばらつきを排除することで、各鍵の押鍵終了時におけるストップ感を均一にすることができる。
【００３４】
請求項１２によれば、同じ音名の鍵間で、ストップ感を共通化することができる。
【００３５】
請求項１３によれば、黒鍵間で、ストップ感を共通化することができる。
【００３６】
請求項１４によれば、白鍵間で、ストップ感を共通化することができる。
【００３７】
請求項１５によれば、各部屋の独立性を高めて、各部屋毎に、収容されている微粒子の流出や流入を抑制し、初期の動作規制機能を長期に亘って維持することができる。
【００３８】
請求項１６によれば、各揺動部材の内側部材に対する相対的な当接位置をずれにくくして、初期の動作規制機能を長期に亘って維持することができる。
【発明を実施するための最良の形態】
【００３９】
以下、本発明の実施の形態を図面を参照して説明する。
【００４０】
（第１の実施の形態）
図１は、本発明の第１の実施の形態に係る鍵盤装置の模式的な縦断面図である。本鍵盤装置は、例えば、電子鍵盤楽器として構成される。同図は、非押鍵状態を示す。以降、本鍵盤装置の奏者側（図１の左方）を「前方」と呼称する。左右方向については、奏者側からみた方向を基準とする。
【００４１】
本鍵盤装置において、フレーム１０には、複数の鍵１２及び各鍵１２に対応するハンマ体ＨＭがそれぞれ並列的に配設支持される。フレーム１０の水平部１０ａの後部の上部には鍵回動支点１１が設けられる。また、フレーム１０の水平部１０ａの前半部の下部にはハンマ体回動軸２１が設けられる。鍵１２は、押下操作され、鍵回動支点１１を中心として各々押離鍵方向に回動（前端部が上下方向に揺動）自在になっている。鍵１２として白鍵１２Ｗ及び黒鍵１２Ｂがそれぞれ複数存在する。各鍵１２の前部下部には、ハンマ体駆動部１３が設けられる。
【００４２】
各鍵１２の下方には、各鍵１２に対応してハンマ体ＨＭが配置される。各ハンマ体ＨＭは、ハンマ体回動軸２１から後方に延設された延設部２３を有し、延設部２３の後部でもある自由端部には、質量部２４が設けられる。また、ハンマ体ＨＭのハンマ体回動軸２１から前方部分に設けられた蟹のハサミ状の係合部２２が、鍵１２のハンマ体駆動部１３の駆動支点１３ａと常に係合状態にあり、ハンマ体ＨＭが、対応する鍵１２に連動して回動するようになっている。各ハンマ体ＨＭは、対応するハンマ体回動軸２１を中心に押離鍵方向に回動（自由端部が上下方向に揺動）自在になっている。
【００４３】
奏者による押鍵操作に応じて、鍵１２のハンマ体駆動部１３により係合部２２が駆動され、ハンマ体ＨＭがハンマ体回動軸２１を中心に同図反時計方向（押鍵方向に対応する方向であって「往方向」）に回動変位することで、適切な慣性が付与され、良好な押鍵感触が得られる。各鍵１２の構成、及び各ハンマ体ＨＭの構成は、それぞれ同様である。
【００４４】
ハンマ体ＨＭは、主に質量部２４の自重によって、同図時計方向（離鍵方向に対応する方向であって「復方向」）に常に付勢されている。鍵１２の押鍵状態からの復帰力は、質量部２４の重さによるハンマ体ＨＭの復帰力によるものである。復帰時にも、ハンマ体ＨＭは、対応する鍵１２と連動して回動する。なお、ハンマ体ＨＭを非押鍵位置に戻すための復帰力を発生させる補助手段として、復帰バネ等の付勢手段を設けてもよい。
【００４５】
フレーム１０の水平部１０ａ及び後部下部には、それぞれ、上側ストッパ３０及び下側ストッパ１５が設けられている。下側ストッパ１５は非押鍵時に質量部２４と常時当接し、ハンマ体ＨＭの復方向の回動終了位置及び鍵１２の非押鍵状態への復帰位置（初期位置）を規制する。
【００４６】
動作規制部である上側ストッパ３０は、押鍵時にハンマ体ＨＭの質量部２４と当接し、ハンマ体ＨＭの往方向の回動終了位置（変位終了位置）を規制すると共に、鍵１２の往方向の回動終了位置である押鍵終了位置（変位終了位置）も規制する。上側ストッパ３０には、質量部２４に代えて延設部２３が当接するように構成してもよい。上側ストッパ３０の詳細な構成は後述する。
【００４７】
また、フレーム１０の水平部１０ａにおいて設けられる基板上に、鍵スイッチ１４が設けられる。鍵スイッチ１４は、鍵１２によって押圧され、キーベロシティを含む鍵動作を検出する。その検出結果に基づいて、不図示の楽音制御部によって楽音制御がなされる。
【００４８】
図２（ａ）は、複数の鍵１２からなる鍵盤部の一部の平面図である。この図では、音名Ｆ〜Ｆまでの１オクターブ分が示されている。図２（ｂ）は、図１のＡ−Ａ線に沿う上側ストッパ３０の断面図である。
【００４９】
ハンマ体ＨＭの質量部２４が上側ストッパ３０に当接してハンマ体ＨＭの動作が規制されるが、その際、質量部２４の幅方向（鍵並び方向）中心位置に上側ストッパ３０からの反力が作用すると考えることができる。図２（ａ）に示すように、各質量部２４の上記中心位置を「中心Ｈｃ」と記し、特に、音名Ｆ〜Ｆに対応して、個別に特定するときは、「中心Ｈｃ１、Ｈｃ２・・・Ｈｃ１２」と記す。ちなみに、各質量部２４の中心Ｈｃは、対応する鍵１２によって定まり、隣接する中心Ｈｃの間隔は、必ずしも１オクターブ内で共通ではない。本実施の形態においても、中心Ｈｃのピッチは一定となっていない。
【００５０】
上側ストッパ３０は、図２（ｂ）に示すように、複数の鍵１２に対応して長尺に構成される。上側ストッパ３０は、全鍵幅分の長さを有するように構成すれば単一となる。しかし、全鍵を数個の領域、乃至オクターブ毎の領域に分割し、各領域毎に上側ストッパ３０を構成してもよい。
【００５１】
図２（ｂ）に示すように、上側ストッパ３０は、いずれも柔軟な布等の薄皮状部材でなる外側部材３１及び内側部材３２を有する。外側部材３１は、左右の端部（図示せず）が閉じられる等の構成により、鍵並び方向に長尺の筒形の袋状に構成され、内側に閉領域である空間部Ｓ１が形成される。外側部材３１は、例えば、２つ以上の部材を上下から貼り合わせる等、複数部材の組み合わせで構成してもよい。ただし、外側部材３１は、単独で筒形でなくてもよく、上側を開けておき、フレーム１０の水平部１０ａに固定されたとき、水平部１０ａと協働して筒形となるように構成してもよい。
【００５２】
内側部材３２は、外側部材３１の内側の空間部Ｓ１に設けられ、鍵並び方向に沿って山部３２ｍと谷部３２ｖとが交互に形成される波形形状に形成される。内側部材３２と外側部材３１の内壁３１ａとの間に、複数の部屋Ｒｍが形成される。具体的には、各山部３２ｍと内壁３１ａとの間、各谷部３２ｖと内壁３１ａとの間に、それぞれ１つ部屋Ｒｍが形成される。そして、各部屋Ｒｍには、多数の微粒子３３が収容される。微粒子３３は、各部屋Ｒｍにおいて満杯に充填されるのではなく、個々の微粒子３３が自由に移動可能なように、空隙を有して収容される。このようにして、上側ストッパ３０は、パーティクルバッグとして構成される。
【００５３】
微粒子３３は、例えば、直径３ｍｍ以下の球体であるが、微粒子と観念できる程度の大きさや形状であればよい。ただし、ハンマ体ＨＭの質量部２４との当接時の衝突音を低減する観点では、大きさは小さい方が好ましく、粉状であってもよい。微粒子３３としては、金属粉、砂のほか、石、セラミック、プラスチックを粒状にしたものを採用可能で、複数種類を混在させてもよい。
【００５４】
外側部材３１は、収容された微粒子３３が外部に漏れないような形状になっていて、且つ通気機能があればよい。通気機能は、外側部材３１の素材自体の通気性に依存してもよいが、所定箇所に設けた通気口によるものでもよい。外側部材３１の断面形状は、矩形に限られず、長尺の空間部Ｓ１が形成できればよいので、円形や楕円形等であってもよい。
【００５５】
外側部材３１及び内側部材３２の素材は、同一でなくてもよいが、いずれも、弾性及び伸縮性があるのが好ましく、少なくとも布のように自由に撓み曲がることが可能なものが採用される。内側部材３２については、波形にして外側部材３１内に配設するが、それだけではなく、波形の形状を長期間維持するために、それ自身に波形形状の「くせ」を事前に付け、いわゆる形状記憶させておくのが好ましい。
【００５６】
鍵並び方向を軸とした上側ストッパ３０（乃至内側部材３２）の回転方向の向きは、例示したものに限定されない。例えば、図２（ｂ）の例では、山部３２ｍと谷部３２ｖが上下に位置し、波の振幅が上下方向であるが、波の振幅が前後、あるいは斜め方向となるように上側ストッパ３０が配設されてもよい。
【００５７】
かかる構成において、非押鍵状態において押鍵がなされ、ハンマ体ＨＭの質量部２４が上側ストッパ３０に当接すると、質量部２４に対応する部分に位置している微粒子３３に質量部２４の運動エネルギが伝達される。微粒子３３は、主に上方に移動して、外側部材３１の上側の内壁３１ａに衝突する。微粒子３３が上側の内壁３１ａに衝突することで、微粒子３３の運動エネルギの多くは、外側部材３１を介してフレーム１０の水平部１０ａに吸収される。
【００５８】
ここで、微粒子３３が上方に移動する際、微粒子３３は互いに連鎖的に衝突する。微粒子３３同士の衝突は、あらゆる方向に対して生じ、摺接動作も含むので、互いの運動エネルギは打ち消され合って急速に減衰する。微粒子３３自身による運動エネルギの減衰作用は、上側の内壁３１ａに衝突して下方に移動する際においても生じる。
【００５９】
上記のことから、上側の内壁３１ａに衝突して落ちてくる微粒子３３が、下側の内壁３１ａに衝突する際の勢いはかなり小さくなっており、落ちてくるタイミングも微粒子３３毎に異なる。従って、押鍵終了状態を維持している短い時間において、微粒子３３から質量部２４を介して伝わる反力が小さくて済み、押鍵終了時における押鍵感触（ストップ感）への悪影響が小さくなる。これにより、ブルブルしたような悪い感触がなくなり、鍵１２がピタっと止まる良好なストップ感が得られる。
【００６０】
また、内側部材３２はパーティションの役割を果たして、各部屋Ｒｍが、それぞれほぼ独立しているので、各部屋Ｒｍ内の微粒子３３のほとんどは、押鍵操作が繰り返されても当該各部屋Ｒｍに留まる。そのため、微粒子３３の鍵並び方向への移動範囲が実質的に部屋Ｒｍ内に規制される。このように、微粒子３３の挙動が外側部材３１内で包括的に拘束されるので、微粒子３３の配置状態が初期の状態から変化せず、動作規制機能も初期の状態のまま維持される。
【００６１】
内側部材３２は、外側部材３１の内壁３１ａに当接しているだけであるので、各部屋Ｒｍは、隣接する部屋Ｒｍと完全に絶縁されているわけではない。従って、微粒子３３の多少の行き来は生じるかもしれないが、通常の演奏において、微粒子３３が一方向にのみ移動して偏在を生じさせるというような要因はないので、実用性に問題はない。
【００６２】
なお、内側部材３２の波形形状の振幅の大きさは、内側部材３２が外側部材３１の内壁３１ａに当接する程度としたが、これに限られない。例えば、振幅が小さくて隙間があく構成であっても、内側部材３２を設けない構成に比べれば、微粒子３３の鍵並び方向の移動規制の機能は十分に発揮される。また、内側部材３２の波の波長（山部３２ｍと谷部３２ｖの出現頻度）は、短い（細かい）方が好ましいが、任意であり、一定のピッチであることも必須ではない。
【００６３】
本実施の形態によれば、上側ストッパ３０において、簡単な構造にて微粒子３３の移動範囲を規制して、ハンマ体ＨＭの適切な動作規制機能を常に確保し、押鍵終了時における良好なストップ感を長期に亘って維持することができる。
【００６４】
また、内側部材３２は、１枚の平状の素材を波形に形成するだけで構成できるので、構成が簡単で製造が容易である。
【００６５】
なお、本実施の形態において、部屋Ｒｍは、山部３２ｍと谷部３２ｖの双方に対応して設け、すべての部屋Ｒｍに微粒子３３を収容したが、これに限られない。例えば、部屋Ｒｍのピッチが、質量部２４の中心Ｈｃのピッチに比し十分に小さい構成であるならば、微粒子３３が収容されていない部屋Ｒｍが存在していてもよい。
【００６６】
〈第１の実施の形態の変形例〉
次に、第１の実施の形態の変形例を説明する。図３（ａ）、（ｂ）、（ｃ）、図４（ａ）、（ｂ）は、本実施の形態における上側ストッパの変形例の断面図である。これらは、図２（ｂ）に対応している。これらの図では、微粒子３３の図示を省略している。
【００６７】
まず、図３（ａ）に示す第１変形例では、鍵並び方向に沿った内側部材３２の山部３２ｍと谷部３２ｖが現れる山谷出現パターンが、所定のパターンに予め設定されている。これは、例えば、内側部材３２自身に所定のパターンの波形形状の「くせ」を付けておくことで実現される。具体的には、山部３２ｍ及び谷部３２ｖの各頂部の位置をＰとし、左から頂部位置Ｐ１、Ｐ２・・・Ｐ１２という配置のパターンとする。各頂部位置Ｐの間隔ｐｔは一定ではなく、質量部２４の各中心Ｈｃ同士の間隔が鍵並び方向に沿って異なっているのと同じ異なり方をしている。つまり、頂部位置Ｐの出現パターンは、質量部２４の中心Ｈｃの鍵並び方向に沿った配列パターンに対応している。
【００６８】
例えば、仮に、頂部位置Ｐ１と質量部２４の中心Ｈｃ１とを一致させたならば、他の頂部位置Ｐ２〜Ｐ１２と中心Ｈｃ２〜中心Ｈｃ１２も一致することになる。その他の構成は図２（ｂ）に示すものと同様である。この例では、１オクターブしか示していないが、上側ストッパ３０の全領域で、頂部位置Ｐと質量部２４の中心Ｈｃの配列パターンが対応するようになっている。
【００６９】
かかる構成によると、内側部材３２自体の鍵並び方向の位置を拘束していないので、頂部位置Ｐと質量部２４の中心Ｈｃとが完全一致することは期待されない。しかし、頂部位置Ｐと中心Ｈｃの対応するもの同士の位置をおおよそ合わせておけば、各質量部２４の中心Ｈｃが当接する内側部材３２における波の位相部分は共通となる。そのため、微粒子３３への運動エネルギ伝達等の作用は各質量部２４間で同じようなものとなる。従って、各質量部２４毎の、内側部材３２における波の位相差による動作規制機能のばらつきが抑制される。
【００７０】
第１の変形例によれば、図２（ｂ）に示す構成と同様の効果を奏するだけでなく、各鍵１２の押鍵終了時におけるストップ感を均一にすることが容易となる。
【００７１】
図３（ｂ）、（ｃ）に示す第２、第３変形例では、上記図３（ａ）に示す第１変形例に対して、さらに、内側部材３２の一部を外側部材３１に対して拘束し、鍵並び方向の移動を規制するようにしたものである。しかも、頂部位置Ｐと質量部２４の中心Ｈｃとを一致させている。その他の構成は、第１変形例と同様である。
【００７２】
具体的には、図３（ｂ）に示す第２変形例では、外側部材３１の端部３１ｂに内側部材３２の端部を拘束部３５にて固定する。好ましくは、この処置を、外側部材３１の両端部において行う。拘束部３５における拘束は、例えば、接着、溶着、縫い合わせ、かしめ、ピンやフックと穴の係合等によって行える。
【００７３】
第２変形例によれば、第１変形例と同様の効果を奏することができる。
【００７４】
ところで、図３（ｂ）の構成を一例として、各質量部２４が作用する動作規制機能の領域について考える。各質量部２４の中心Ｈｃの位置を中心とした鍵並び方向の所定幅の領域３４は、各質量部２４について同一幅とする。領域３４における山側領域３４ｍと谷側領域３４ｖとの容積比は、同じ音名の鍵１２に対応する領域３４同士で一致するように、内側部材３２の波形形状が形成されている。例えば、白鍵１２ＷのＦ１鍵、Ｆ２鍵、Ｆ３鍵・・・間では、上記容積比が同じとなっている。これにより、同じ音名の鍵１２間で、上側ストッパ３０によるハンマ体ＨＭの動作規制作用が同様のものとなるので、押鍵終了時におけるストップ感が共通となる。
【００７５】
なお、山側領域３４ｍと谷側領域３４ｖとの容積比を一致させるのは、同じ音名の鍵１２に対応する領域３４間とする代わりに、複数の白鍵１２Ｗに対応する領域３４間としてもよいし、複数の黒鍵１２Ｂに対応する領域３４間としてもよい。そうすれば、複数の白鍵１２Ｗ間、複数の黒鍵１２Ｂ間で、ストップ感を共通化することができる。
【００７６】
なお、音名の異なる鍵１２に対応する領域３４同士については、上記容積比は基本的に一致させないのがよい。例えば、白鍵１２ＷのＦ鍵は、頻繁に押鍵される鍵先端部の鍵幅中心と、各々対応する質量部２４の中心Ｈｃとの鍵並び方向の位置のずれが、Ｄ鍵に比し大きいため、上側ストッパ３０に質量部２４が当接したときの作用が同一でない。そこで、Ｆ鍵とＤ鍵とでは、上記容積比をあえて異ならせることで、ストップ感を共通化することが可能となる。
【００７７】
なお、より簡単に構成する上では、拘束部３５においては、内側部材３２が外側部材３１の左右両側の端部３１ｂに単に当接するだけの構成であってもよい。
【００７８】
また、図３（ｃ）に示す第３変形例では、外側部材３１の内壁３１ａに内側部材３２の山部３２ｍ及び谷部３２ｖの各頂部を拘束部３６にて固定する。拘束部３６における拘束は、拘束部３５（図３（ｂ）参照）と同様（単なる当接を除く）の接着等の態様を採用可能である。なお、拘束部３６により、各部屋Ｒｍ間を微粒子３３が全く移動できないように独立性を高めた構成としてもよい。また、構成を簡単にする観点からは、最低限、山部３２ｍまたは谷部３２ｖのいずれかの頂部のみを拘束部３６にて固定するようにしてもよい。
【００７９】
第３変形例によれば、第２変形例と同様の効果を奏することができる。しかも、拘束部３６が各山部３２ｍ及び谷部３２ｖ毎に設けられるので、頂部位置Ｐと質量部２４の中心Ｈｃとの一致が確実に、恒久的に確保される。そのため、鍵１２毎の均一なストップ感の維持がより確実である。また、第３変形例では、内側部材３２自身の波形形状の「くせ」を付けておかなくても、頂部位置Ｐと質量部２４の中心Ｈｃとを簡単に一致させることができるので、内側部材３２の構成を簡単にすることも可能である。
【００８０】
また、第２、第３変形例では、拘束部３５、３６での固定により、各質量部２４の内側部材３２に対する相対的な当接位置がずれにくいので、初期の動作規制機能を長期に亘って維持することができる。特に、第３変形例では、質量部２４と各部屋Ｒｍとの相対的位置関係が恒久的に維持される。
【００８１】
なお、第２、第３変形例において、内側部材３２の移動を規制する上で、互いに拘束される外側部材３１及び内側部材３２の各箇所は、例示した箇所に限られない。また、第１変形例と同様の効果を奏する上では、頂部位置Ｐと質量部２４の中心Ｈｃとを完全一致させることは必須ではない。
【００８２】
図４（ａ）に示す第４変形例では、第１〜第３変形例（図３（ａ）〜（ｃ））に比し、内側部材３２の波の周期を短く構成し、鍵並び方向に沿った内側部材３２の谷部３２ｖが現れる谷部出現パターンを、質量部２４の中心Ｈｃの鍵並び方向に沿った配列パターンに対応させる。これは、例えば、内側部材３２自身に波形形状の「くせ」を付けておくことで実現される。しかも、図３（ｂ）の例と同様に、外側部材３１の端部３１ｂに内側部材３２の端部を拘束部３５にて固定する。さらに、質量部２４の中心Ｈｃの位置を谷部３２ｖのみの位置に対応させている。その他の構成は、第２、第３変形例（図３（ｂ）、（ｃ））と同様である。
【００８３】
図４（ａ）の例では、質量部２４の中心Ｈｃの位置は谷部３２ｖの頂部に対して完全には一致していないが、一致させてもよい。少なくとも、中心Ｈｃの位置は、質量部２４に対して動作規制機能を果たす領域のほとんどが、谷部３２ｖの領域となる位置であればよい。
【００８４】
山部３２ｍと谷部３２ｖとでは、質量部２４が当接した場合の作用が微妙に異なり、各鍵１２間で感触に差異を感じるおそれがある。しかし、第４変形例によれば、質量部２４のうち、主に山部３２ｍの領域に当接するものと主に谷部３２ｖの領域に当接するものとが混在することがない。そのため、谷部３２ｖのみの固有特性が質量部２４に支配的に作用し、固有特性によるばらつきが排除されるので、質量部２４の動作規制機能に差異が生じることが回避される。これにより、各鍵１２の押鍵終了時におけるストップ感を均一にすることができる。
【００８５】
図４（ｂ）に示す第５変形例では、第３変形例（図３（ｃ））と同様に、外側部材３１の内壁３１ａに内側部材３２の山部３２ｍの頂部を拘束部３６にて固定する。なお、これに代えて谷部３２ｖの頂部を固定してもよいが、好ましくは、山部３２ｍ及び谷部３２ｖの各頂部を固定するのがよい。
【００８６】
第５変形例によれば、第４変形例と同様の効果を奏することができる。しかも、拘束部３６が各山部３２ｍ毎に設けられるので、頂部位置Ｐと質量部２４の中心Ｈｃとの相対的位置関係が維持される。そのため、鍵１２毎の均一なストップ感の維持がより確実である。また、第５変形例では、内側部材３２自身の波形形状の「くせ」を付けておかなくても、頂部位置Ｐと質量部２４の中心Ｈｃとの相対的位置を、所望な関係にすることが容易である。
【００８７】
なお、第４、第５変形例において、質量部２４の中心Ｈｃの位置を谷部３２ｖのみの位置に対応させる代わりに、山部３２ｍのみの位置に対応させるようにしてもよい。その場合、簡単には、例えば、内側部材３２の波形状を上下で逆転させて配置すればよく、内側部材３２の山部３２ｍが現れる山部出現パターンが、質量部２４の中心Ｈｃの配列パターンに対応する。
【００８８】
（第２の実施の形態）
図５（ａ）は、本発明の第２の実施の形態に係る鍵盤装置における上側ストッパの一部の断面図である。同図は図２（ｂ）に対応している。
【００８９】
第１の実施の形態における上側ストッパ３０の内側部材３２は波形形状であったが、本発明の第２の実施の形態における上側ストッパ４０では、ロール状に形成した複数のロール部４２Ａからなる内側部材４２を採用する。外側部材４１の構成は、第１の実施の形態における外側部材３１と同様で、その他の構成も第１の実施の形態と同様である。
【００９０】
図５（ａ）に示すように、外側部材４１の内側の空間部Ｓ１には、鍵並び方向に沿ってロール部４２Ａが直列に複数設けられる。ロール部４２Ａは、内側部材３２と同じ素材にて、貫通穴４２ａを有して断面が円形の筒状に形成される。各ロール部４２Ａは、筒状の「くせ」が付けられていて、外側部材４１の上下の内壁４１ａに当接して挟まれた形となっている。ロール部４２Ａの配列間隔は問わず、鍵並び方向に隙間無く詰めて配置してもよい。
【００９１】
ロール部４２Ａの円形形状は、完全でなくてもよく、平らな素材を丸めて概ね円形にしたもので十分である。図５（ｂ）〜（ｄ）に、１つのロール部４２Ａの変形例の斜視図を示す。例えば、一部が切れた不完全な円形でもよい（図５（ｂ））。または、一部がオーバーラップした形状であってもよいし（図５（ｃ））、２重以上巻かれた構成となっていてもよい（図示せず）。あるいは、円形断面の直径が徐々に変化するテーパ状であってもよい（図５（ｃ））。要は、微粒子３３をくるむことができる形状であればよく、断面形状も、円形や楕円に限られない。本実施の形態では、このような形状を総称して、「ロール状」と総称している。
【００９２】
そして、図５（ａ）に示すように、各ロール部４２Ａの貫通穴４２ａ内に、部屋Ｒｍが構成される。また、空間部Ｓ１のうち隣接するロール部４２Ａ間の領域も、部屋Ｒｍとして機能する。各部屋Ｒｍに、微粒子３３が収容される。上側ストッパ４０の鍵並び方向を軸とした回転方向の向きは、例示したものに限定されない。
【００９３】
かかる構成により、押鍵終了時における、部屋Ｒｍ内での微粒子３３の挙動は、第１の実施の形態と同様である。微粒子３３は、部屋Ｒｍ内の上側壁、もしくは外側部材４１の上側の内壁４１ａに衝突して落ちるが、互いの衝突により運動エネルギを減衰させる点で、第１の実施の形態と同様である。
【００９４】
本実施の形態によれば、第１の実施の形態と同様の効果を奏することができる。
【００９５】
図５（ｅ）は、本第２の実施の形態における上側ストッパ４０の変形例を示す断面図である。この図では、微粒子３３の図示を省略している。この変形例では、第３変形例（図３（ｃ））と同様に、外側部材４１の内壁４１ａに、各ロール部４２Ａの一部分を拘束部３６にて固定する。図５（ｅ）の例では、各ロール部４２Ａの上部だけが固定されるが、下部を固定してもよいし、上部及び下部を固定してもよい。しかも、ロール部４２Ａの配列パターンを、質量部２４の中心Ｈｃの鍵並び方向に沿った配列パターンに対応させる。その他の構成は、図５（ａ）の構成と同様である。
【００９６】
図５（ａ）では、各ロール部４２Ａが鍵並び方向に移動することがあるが、この変形例では、拘束部３６によって各ロール部４２Ａの位置が恒久的に維持される。また、ここでいう配列パターンの対応は、ロール部４２Ａの中心と質量部２４の中心Ｈｃの位置を完全に一致させることを意味するものではなく、少なくとも、中心Ｈｃを、ロール部４２Ａが存在する領域に位置させればよい。なお、両者を完全に一致させてもよい。
【００９７】
この変形例によれば、質量部２４のうち、ロール部４２Ａが存在する領域に当接するものと存在しない領域に当接するものとが混在することがない。しかも、ロール部４２Ａと質量部２４の中心Ｈｃとの相対的位置関係が維持される。そのため、ロール部４２Ａが存在する領域の固有特性が質量部２４に支配的に作用し、各質量部２４のロール部４２Ａに対する相対的な当接位置の違いがなくなり、動作規制機能のばらつきが排除される。これにより、各鍵１２の押鍵終了時におけるストップ感を均一にすることができ、図４（ｂ）の例と同様の効果を奏することができる。
【００９８】
また、ロール部４２Ａは、１枚の平状の素材を丸めるだけで構成できるので、構成が簡単で製造が容易である。現実的には、丸まろうとする「くせ」のついた平板状の素材を、一旦展開して、ロール部４２Ａの形に型で抜く、という製造方法を採用することが想定される。
【００９９】
なお、本実施の形態（図５（ａ）〜（ｅ））において、各質量部２４の中心Ｈｃの、対応するロール部４２Ａの鍵並び方向に沿った中心位置に対するずれ量は、同じ音名の鍵１２に対応する質量部２４同士で一致するように、ロール部４２Ａの配列が設定されている。これにより、上記第１の実施の形態において、山側領域３４ｍと谷側領域３４ｖとの容積比を同じ音名の鍵１２に対応する領域３４同士で一致させた（図３（ｂ）参照）のと同様に、同じ音名の鍵１２間でストップ感が共通となる。
【０１００】
また、上記ずれ量を一致させるのは、複数の白鍵１２Ｗに対応する質量部２４同士としてもよいし、複数の黒鍵１２Ｂに対応する質量部２４同士としてもよい。これにより、複数の白鍵１２Ｗ間、複数の黒鍵１２Ｂ間で、ストップ感を共通化することができる。
【０１０１】
なお、音名の異なる鍵１２に対応する質量部２４同士については、上記ずれ量をあえて異ならせることで、ストップ感を共通化することが可能となる。
【０１０２】
なお、内側部材４２を製造するに当たって、隣接する各ロール部４２Ａ同士を、接続部材にて、適切な間隔を保って接続しておいてもよい。そのようにした場合でも、ロール部４２Ａの配列パターンを、質量部２４の中心Ｈｃの鍵並び方向に沿った配列パターンに対応させておけば、各質量部２４のロール部４２Ａに対する相対的な当接位置を同じにすることができる。
【０１０３】
なお、本実施の形態において、ロール部４２Ａの貫通穴４２ａの内側、または空間部Ｓ１のうち隣接するロール部４２Ａ間の領域のいずれかのみを部屋Ｒｍとみなして微粒子３３を収容するようにしてもよい。
【０１０４】
なお、ロール部４２Ａの配列ピッチが、質量部２４の中心Ｈｃのピッチに比し十分に小さい構成であるならば、微粒子３３が収容されていない部屋Ｒｍが存在していてもよい。
【０１０５】
（第３の実施の形態）
図５（ｆ）は、本発明の第３の実施の形態に係る鍵盤装置における上側ストッパの一部の斜視図である。図（ｆ）では、微粒子３３の図示を省略している。
【０１０６】
本実施の形態における上側ストッパ５０は、外側部材３１内に、第１の実施の形態における波形形状の内側部材３２と第２の実施の形態におけるロール状の複数のロール部４２Ａからなる内側部材４２とを合体させて配設した構成を採用する。
【０１０７】
すなわち、内側部材３２の谷部３２ｖの位置に、内側部材４２のロール部４２Ａを各１つ配置する。各ロール部４２Ａの貫通穴４２ａ内に、部屋Ｒｍが構成される。なお、ロール部４２Ａを、谷部３２ｖではなく山部３２ｍに配置してもよい。内側部材３２の谷部３２ｖのうちロール部４２Ａの貫通穴４２ａの外側、及び山部３２ｍにも部屋Ｒｍが構成される。各部屋Ｒｍに微粒子３３が収容される（図示せず）。なお、最低限、上記貫通穴４２ａ内の部屋Ｒｍのみに微粒子３３を収容するようにしてもよい。
【０１０８】
なお、谷部３２ｖの出現パターン（ロール部４２Ａの配列パターン）は、図５（ｅ）の例とおなじく、質量部２４の中心Ｈｃの配列パターンに対応させるが、構成を簡単にする観点では、図５（ａ）と同じく非対応であってもよい。配列パターンを対応させる場合は、図４（ａ）、（ｂ）で説明したのと同様に、内側部材３２に「くせ」を付けておくか、谷部３２ｖ及び／又は山部３２ｍを外側部材３１に固定・拘束するのがよい。
【０１０９】
内側部材３２の波の振幅方向と、ロール部４２Ａの貫通穴４２ａの貫通方向（開口方向）とは、共に上下方向である方向Ｆ１であって一致乃至平行である。上側ストッパ５０の鍵並び方向を軸とした回転方向の向きは、例示したものに限定されず、方向Ｆ１は上下方向に限られない。
【０１１０】
ロール部４２Ａは、外側部材３１や内側部材３２に対して固定等による拘束をしていないので、厳密には、ロール部４２Ａの姿勢は、演奏時に随時、多少変化することになる。しかし、ロール部４２Ａは、前後の外周面が、外側部材３１の内壁３１ａに常に当接して長穴状になっており、鍵並び方向を軸として内側部材３２に対して相対的に回転変位しにくい構成になっている。そのため、演奏を繰り返しても、貫通穴４２ａの貫通方向は、内側部材３２の波の振幅方向と常に概ね一致する（略平行となる）。
【０１１１】
かかる構成により、押鍵終了時における、部屋Ｒｍ内での微粒子３３の挙動は、基本的に第２の実施の形態と同様である。本実施の形態では、ロール部４２Ａの貫通穴４２ａの開口部は外側部材３１の上下の内壁３１ａとの隙間を介して、微粒子３３が左右に移動しやすい。ところが、外側部材３１の上下の内壁３１ａに対して内側部材３２の山部３２ｍ及び谷部３２ｖが当接していることから、微粒子３３の左右への移動が規制されやすい。
【０１１２】
一方、内側部材３２の振幅方向に直行する方向の内側部材３２の前後端部は、前後に開口した部分であって、外側部材３１の前後の内壁３１ａとの隙間を介して、微粒子３３が左右に移動しやすい。ところが、外側部材３１の前後の内壁３１ａに対してロール部４２Ａの前後の外周面が当接していることから、微粒子３３の左右への移動が規制されやすい。
【０１１３】
これらのような開口部の塞ぎ合いの構成により、各部屋Ｒｍの独立性が高まり、各部屋Ｒｍに収容されている微粒子３３の流出や流入が抑制される。
【０１１４】
本実施の形態によれば、初期の動作規制機能を長期に亘って維持することに関し、第１、第２の実施の形態の効果を一層高めることができる。
【０１１５】
また、本実施の形態における上側ストッパ５０は、第１、第２の実施の形態の構成を組み合わせたものではあるが、谷部３２ｖの空間を利用してロール部４２Ａを配置するので、上側ストッパ５０の大きさは特別に大型化することがない。特に、ロール部４２Ａを外側部材３１に対して固定する必要がないので、製造も困難とならない。むしろ、ロール部４２Ａの開口部を縫い合わせずあえて開放していることで、微粒子３３の拘束を弱めて、運動エネルギの自然な分散が実現され、パーティクルバッグとしての特性を殺さない構成となっている。
【０１１６】
なお、本実施の形態において、ロール部４２Ａの、鍵並び方向を軸とした回転変位を確実に回避する観点からは、ロール部４２Ａの外周面等の一部を、外側部材３１または内側部材３２の一部に固定してもよい。
【０１１７】
なお、上記各実施の形態において、上側ストッパ３０、４０、５０が動作を規制する対象の揺動部材（乃至回動部材）として、ハンマ体ＨＭを例示したが、これに限られず、各鍵１２に連動して揺動する部材であればよい。従って、鍵１２自身であってもよいし、鍵１２の後端部等に固定された部材が直接、上側ストッパ３０等に当接するように構成した場合は、該固定された部材を揺動部材とみなしてもよい。従って、上側ストッパ３０等の配置位置も、対象となる揺動部材に応じた位置に配置すればよく、例示した配置位置に限定されない。また、上側ストッパ３０等は、フレーム１０に対して固定的な部位に配設されればよく、フレーム１０に直接固定されていなくてもよい。
【０１１８】
なお、上記各実施の形態において、上側ストッパ３０等の前または後に、フェルト等を用いた一般的な弾性ストッパを併設し、この弾性ストッパと上側ストッパ３０等とが協働して揺動部材の動作を規制するようにしてもよい。
【図面の簡単な説明】
【０１１９】
【図１】本発明の第１の実施の形態に係る鍵盤装置の模式的な縦断面図である。
【図２】複数の鍵からなる鍵盤部の一部の平面図（図（ａ））、図１のＡ−Ａ線に沿う上側ストッパの断面図（図（ｂ））である。
【図３】本実施の形態における上側ストッパの第１〜第３変形例の断面図（図（ａ）〜（ｃ））である。
【図４】本実施の形態における上側ストッパの第４、第５変形例の断面図（図（ａ）、（ｂ））である。
【図５】本発明の第２の実施の形態に係る鍵盤装置における上側ストッパの一部の断面図（図（ａ））、１つのロール部の変形例を示す斜視図（図（ｂ）〜（ｄ））、上側ストッパの変形例を示す断面図（図（ｅ））、及び、本発明の第３の実施の形態に係る鍵盤装置における上側ストッパの一部の斜視図（図（ｆ））である。
【符号の説明】
【０１２０】
１０  フレーム、  １２  鍵、  ３０、４０、５０  上側ストッパ（動作規制部）、  ３１、４１  外側部材、  ３１ａ、４１ａ  内壁、  ３２  内側部材（波形部）、  ３２ｍ  山部、  ３２ｖ  谷部、  ３３  微粒子、  ３５、３６  拘束部、  ４２  内側部材、  ４２Ａ  ロール部、  ４２ａ  貫通穴、  ＨＭ  ハンマ体（揺動部材）、  Ｒｍ  部屋、  Ｐ  頂部位置、  Ｈｃ  中心（中心位置）、  Ｓ１  空間部、  Ｆ１  方向
【図１】
0005012475.tif 000002
【図２】
0005012475.tif 000003
【図３】
0005012475.tif 000004
【図４】
0005012475.tif 000005
【図５】
0005012475.tif 000006